(57)【要約】【課題】軒樋が湾曲したり伸縮したりするときに擦れて発生する音鳴りを防止することができる軒樋吊具を提供することを目的とする。【解決手段】軒先取付部１と、この軒先取付部１から屋外側に突出された軒樋支持腕２と、この軒樋支持腕２の先端側に係止部３２が立設して形成された屋外側耳保持部３と、この屋外側耳保持部３より屋内側に設けられた屋内側耳保持部４とからなる合成樹脂製の軒樋吊具Ａにおいて、少なくともいずれか一方側の耳保持部３、４には、軒樋５の耳部５４、５５を係止したときに当接する接触面に軒樋５の材料と異なる硬度を有した粉体層３２ａ、３３ａ、４１ａ、４２ａが形成されている。【選択図】　　　図１
2004137679.tif 000002
【特許請求の範囲】
【請求項１】
軒先取付部と、この軒先取付部から屋外側に突出された軒樋支持腕と、この軒樋支持腕の先端側に係止部が立設して形成された屋外側耳保持部と、この屋外側耳保持部より屋内側に設けられた屋内側耳保持部とからなる合成樹脂製の軒樋吊具において、少なくともいずれか一方側の耳保持部には、軒樋の耳部を係止したときに当接する接触面に軒樋の材料と異なる硬度を有した粉体層が形成されていることを特徴とする軒樋吊具。
【発明の詳細な説明】
【０００１】
【発明の属する技術分野】
本発明は、軒先に取着固定されて軒樋を保持する軒樋吊具に関する。
【０００２】
【従来の技術】
従来、軒樋を軒先に吊設して支持する場合、軒樋支持腕の両側部に形成された屋外側耳保持部と屋内側耳保持部に、軒樋の屋外側耳部と屋内側耳部とをそれぞれ嵌合して係止するの軒樋吊具が用いられていた（例えば、特許文献１参照。）。
【０００３】
【特許文献１】
特開平２０００─８５６３号公報（第２図及び第４図）
【０００４】
【発明が解決しようとする課題】
ところで、この軒樋吊具は、図６に示すように、軒先の鼻隠し板ａに軒樋ｂを取着固定して使用する場合、軒樋ｂの設置される環境の変化、例えば、季節の違いによる外気温度の変化により、軒樋ｂが長手方向（矢印の方向）に伸縮して、軒樋吊具ｃの屋外側耳保持部ｅが軒樋ｂとともに移動し軒樋支持腕ｆが変形することがある。
【０００５】
この吊具本体ｆの変形が一定の変形量を越えると定位置（実線で示す位置）に急に戻ろうとするときに、軒樋吊具の屋外側耳保持部ｅが軒樋ｂの耳部ｇとの間で擦れて音鳴りを生じることがある。特に、軒樋ｂが塩化ビニール製で軒樋吊具ｃがボリカーボネート製である場合に、それぞれの材料の硬度が似通っているため、摩擦係数が大きくなり擦れるときに音鳴りを生じ易い。
【０００６】
本発明の目的は、上記問題に着目してなされたもので、軒樋が湾曲したり伸縮したりするときに擦れて発生する音鳴りを防止することができる軒樋吊具を提供するものである。
【０００７】
【課題を解決するための手段】
本発明は上記の目的を達成するためになされたもので、軒先取付部と、この軒先取付部から屋外側に突出された軒樋支持腕と、この軒樋支持腕の先端側に係止部が立設して形成された屋外側耳保持部と、この屋外側耳保持部より屋内側に設けられた屋内側耳保持部とからなる合成樹脂製の軒樋吊具において、少なくともいずれか一方側の耳保持部には、軒樋の耳部を係止したときに当接する接触面に軒樋の材料と異なる硬度を有した粉体層が形成されている。
【０００８】
本発明の軒樋吊具の材質は、軽量、防錆の点で合成樹脂が用いられる。合成樹脂の中でも、可撓性の点で、ポリカ−ボネ−ト樹脂が好ましい。
本発明の軒樋吊具は射出成形法で製造すると、屋外側耳保持部、屋内側耳保持部、軒樋支持腕及び軒先取付部が一体成形できるので好ましい。
【０００９】
本発明の軒樋吊具において、耳保持部に形成される粉体層としては、軒樋の材質の硬度と大きく異なる硬度の粉体層であって、例えば、軒樋が塩化ビニル樹脂製である場合は、アルミニウム等の金属粉、珪砂等の無機粉、ポリアミド、ポリプロピレン、ポリエチレン等の熱可塑性樹脂粉末が加熱して塗着されたものが好適に用いられる。
【００１０】
（作用）
本発明の軒樋吊具では、耳保持部に軒樋の耳部を係止したときに当接する接触面に軒樋の材料と異なる硬度を有した粉体層が形成されているから、軒樋が湾曲したり伸縮したりしても、軒樋の耳部と軒樋吊具の耳保持部との間で粉体層が潤滑剤のように働き、焼きつき防止や摩擦、磨耗の低下をはかり、擦れて音鳴りが発生するということがない。
【００１１】
【発明の実施の形態】
本発明の一実施例を図１及び図４に基づいて説明する。
図１は本発明の軒樋吊具の側面図、図２は同じく軒樋吊具の屋外側耳保持部のを示す一部切り欠き側面図、図３は同じく軒樋吊具の屋内側耳保持部を示す一部切り欠き側面図、図４は本発明の軒樋吊具に使用される軒樋を示す側面図、図５は本発明の軒樋吊具を軒先に取り付け、軒樋が軒樋吊具に取り付けられている状態を示す側面図である。
【００１２】
図１に示すように、Ａはポリカ−ボネ−ト樹脂製の軒樋吊具であり、この軒樋吊具Ａは軒先取付部１と軒樋支持腕２とからなり、射出成形法で一体に作られている。
【００１３】
軒先取付部１は板状体で、四隅部に４個の取付孔１１が設けられている。
又、軒樋支持腕２は、軒先取付部１のほぼ中央上端部より屋外側に向けて屈曲して突出された棒状体である。
そして、この軒樋支持腕２には、屋外側に屋外側耳保持部３と屋内側に屋内側耳保持部４が設けられている。
【００１４】
屋外側耳保持部３は、軒樋支持腕２の先端側に水平に延出した支持部３１と、この支持部３１の先端に上向きに突出した係止部３２と、支持部３１の下側に外向きに突出した支承部３３とから形成されており、屋外側耳保持部３の係止部３２と支承部３３の接触面にはアルミニュウム粉から形成された粉体層３２ａ、３３ａが形成されている。
【００１５】
上記粉体層３２ａ、３３ａを形成するには、屋外側耳保持部３の係止部３２と支承部３３に加熱したアルミニュウム粉を塗着して形成してもよいが、屋外側耳保持部３のうち軒樋５の屋外側耳部３が係合して当接する接触面にのみ加熱したアルミニュウム粉を塗着して形成してもよい。
【００１６】
屋内側耳保持部４は、軒樋支持腕２の下側の途中部から屋内側に向けて水平に延出した係止部４１と、軒樋支持腕２の後端の軒先取付部１から斜め下向きに突出したガイド部４２とから形成されており、この屋内側耳保持部４の係止部４１とガイド部の接触面にもアルミニュウム粉から形成された粉体層４１ａ、４２ａがそれぞれ形成されている。
【００１７】
軒樋吊具Ａに吊設される軒樋５は、図４に示すように断面形状が角型の硬質塩化ビニル樹脂製のものであり、平坦な底壁５１と、この底壁５１の両側部から立設された前側壁５２および後側壁５３とで溝形状の樋本体部５０が構成されている。前側壁５２は底壁５１から外側に向けて若干傾斜して形成され、途中部で段部５２１が前方に水平に延設して形成されており、後側壁５３は底壁５１に対してほぼ直角に形成されている。
【００１８】
前側壁５２の上端には屋外側耳部５４が形成されており、この屋外側耳部５４は樋内側に開口した溝５４１を有している。この溝５４１は断面形状がほぼＣ字状とされており、その開口部上縁には係止爪５４２が下向きに形成され、溝５４１の開口部下側には受け面５４３が形成されている。後側壁５３の上端には屋内側耳部５５が形成されており、この屋内側耳部５５は内方に向けて突出された係止突起５５１を備えている。
【００１９】
次に、図５にもとづいて軒樋吊具Ａの施工方法及び作用について説明する。
先ず、軒先に軒樋吊具Ａの取付位置をきめる。次に、軒先取付部１の四隅部の４個の取付孔１１に釘７を差し込み、鼻隠し板６に釘７を打ちつけて、軒先に固定する。
【００２０】
続いて、この軒先取付部１のほぼ中央上端部より、屋外側に向けて屈曲して突出している軒樋支持腕２の屋外側耳保持部３の係止部３２を軒樋２の屋外側耳部の溝５４１内に挿入して係止爪５４２を係合させるとともに、支承部３３で屋外側耳保持部３の受け面５４３を支持する。
【００２１】
最後に、屋内側耳保持部４の係止部４１と軒先取付部１との間に、軒樋５の屋内側耳部５４を差し込んで、軒樋吊具Ａの軒樋支持腕２に軒樋５を取り付ける。このとき、屋内側耳部５５の上端面が屋内側耳保持部４のガイド部４２に押されて、屋内側耳部５５の係止突起５５１が屋内側耳保持部４の係止部４１に係合することになる。
【００２２】
このようにすると、屋外側耳保持部３に係合した軒樋５の屋外側耳部５４は、屋外側耳保持部３の粉体層３２ａ、３３ａと擦れ合う状態で取付けられており、また、屋内側耳保持部４に係合した軒樋５の屋内側耳部５５は、屋内側耳保持部４の粉体層４１ａ、４２ａと擦れ合う状態で取付けられている。
これにより、軒樋５が湾曲したり伸縮したりするときに、それぞれの粉体層３２ａ、３３ａ、４１ａ、４２ａが潤滑剤のように働き、屋外側耳保持部３と屋内側耳保持部３２では軒樋４の屋外側耳部５４と屋内側耳部５５が擦れて音鳴りを生じることがない。
【００２３】
以上、本発明実施例を図面に基づいて説明してきたが、具体的な構成はこの実施例の限られるものではなく本発明の要旨を逸脱しない範囲の設計変更等があっても本発明に含まれる。
【００２４】
【発明の効果】
以上、説明してきたように、本発明の軒樋吊具では、少なくともいずれか一方側の耳保持部には、軒樋の耳部を係止したときに当接する接触面に軒樋の材料と異なる硬度を有した粉体層が形成されているから、耳保持部に軒樋の耳部を嵌合して係止しても、耳保持部と耳部とは円滑に摺動することになる。
従って、軒樋が湾曲したり伸縮したりして耳保持部で擦れても音鳴りを生じることがない。
【図面の簡単な説明】
【図１】本発明の一実施例を示す軒樋吊具の側面図である。
【図２】同上の軒樋吊具の屋外側耳保持部を示す一部切り欠き側面図である。
【図３】図１軒樋吊具の屋外側耳保持部を示す一部切り欠き側面図である。
【図４】本発明の軒樋吊具に使用れる軒樋の側面図である。
【図５】本発明の軒樋吊具を軒先に取り付け、軒樋が軒樋吊具に取り付けられている状態を示す断面図である。
【図６】従来例を説明する軒樋吊具の使用状態を示す上面図である。
【符号の説明】
Ａ　　　　　　　　軒樋吊具
１　　　　　　　　軒先取付部
１１　　　　　　　取付孔
２　　　　　　　　軒樋支持腕
３　　　　　　　　屋外側耳保持部
３１　　　　　　　支持部
３２　　　　　　　係止部
３３　　　　　　　支承部
３１ａ、３２ａ　　粉体層
４　　　　　　　　屋内側耳保持部
４１　　　　　　　係止部
４２　　　　　　　ガイド部
４１ａ、４２ａ　　粉体層
５　　　　　　　　軒樋
５４　　　　　　　屋外側耳部
５５　　　　　　　屋内側耳部
【図１】
2004137679.tif 000003
【図２】
2004137679.tif 000004
【図３】
2004137679.tif 000005
【図４】
2004137679.tif 000006
【図５】
2004137679.tif 000007
【図６】
2004137679.tif 000008